(57)【要約】【課題】  定着後の収縮した記録紙であっても、所望の位置に光沢付与ができる画像形成装置を提供すること。【解決手段】  画像形成装置１００は、中間転写ベルト８から転写された記録紙上のトナー像を加熱する定着器１６と、定着器１６により加熱された記録紙の任意の領域に光沢を付与するサーマルヘッド２０１とを有する。ＣＰＵ５０２は、定着器１６による加熱で収縮した記録紙の収縮率を演算し、当該収縮率に応じて、サーマルヘッド２０１による光沢付与領域を補正する。【選択図】  図２
2011099913.tif 000002
【特許請求の範囲】
【請求項１】
記録紙を給紙する給紙手段と、
前記給紙手段により給紙された記録紙にトナー像を転写する転写手段と、
前記転写手段により記録紙に転写されたトナー像を加熱する定着手段と、
前記定着手段により加熱された記録紙の任意の領域に光沢を付与する光沢付与手段と、
前記定着手段による加熱で収縮した記録紙の収縮率を演算する演算手段と、
前記演算手段により演算された前記収縮率に応じて、前記光沢付与手段による光沢付与領域を補正する補正手段と、
を有することを特徴とする画像形成装置。
【請求項２】
前記光沢付与手段は、記録紙の搬送方向に直交する方向に長手となるよう設けられたサーマルヘッドであり、
前記補正手段は、前記演算手段により演算された前記収縮率に応じて、前記サーマルヘッドの加熱パターンを補正することを特徴とする請求項１記載の画像形成装置。
【請求項３】
前記定着手段により加熱された記録紙を搬送して前記光沢付与手段を通過させる搬送手段を更に有し、
前記補正手段は、前記演算手段により演算された前記収縮率に応じて、前記搬送手段の搬送速度を補正することを特徴とする請求項１記載の画像形成装置。
【請求項４】
前記定着手段により加熱される前の、記録紙の搬送方向に直交する幅方向における記録紙の長さである第１の長さを検知するための第１の検知手段と、
前記定着手段により加熱された後の、前記幅方向における記録紙の長さである第２の長さを検知するための第２の検知手段と、を更に有し、
前記演算手段は、前記第１の検知手段により検知された前記第１の長さと、前記第２の検知手段により検知された前記第２の長さとの比から、前記幅方向の前記収縮率を演算することを特徴とする請求項１記載の画像形成装置。
【請求項５】
前記第１の検知手段は、前記定着手段により加熱される前の記録紙の先端から後端までの第１の通過時間を検知し、
前記第２の検知手段は、前記定着手段により加熱された後の記録紙の先端から後端までの第２の通過時間を検知し、
前記演算手段は、前記第１の検知手段により検知された前記第１の通過時間と、前記第２の検知手段により検知された前記第２の通過時間との比から、前記搬送方向の前記収縮率を演算することを特徴とする請求項４記載の画像形成装置。
【請求項６】
前記第２の検知手段は、記録紙の前記幅方向における位置を検知し、
前記補正手段は、前記演算手段により演算された前記収縮率と、前記第２の検知手段により検知された記録紙の端部位置に応じて、前記光沢付与手段による光沢付与領域を補正することを特徴とする請求項５記載の画像形成装置。
【請求項７】
前記光沢付与手段は、記録紙の任意の領域に透明トナー画像を形成する手段であり、
前記補正手段は、前記演算手段により演算された前記収縮率に応じて、透明トナー画像を形成する領域を補正することを特徴とする請求項１記載の画像形成装置。
【発明の詳細な説明】
【技術分野】
【０００１】
本発明は、複写機、プリンタ等の画像形成装置に関し、特に、記録紙に形成された画像に光沢を付与する画像形成装置に関する。
【背景技術】
【０００２】
従来の画像形成装置として、例えば、第１の定着器の後工程に第２の定着器を設け、第１の定着器を通過した記録紙を第２の定着器で再加熱することにより、光沢を付与する方式が提案されている（例えば、特許文献１参照）。
【０００３】
しかしながら、この方式では、記録紙の全面に光沢を付与することが可能であるが、領域を限定して光沢を付与することができなかった。また、光沢を付与することを必要としない部分にまで熱を加えるので、消費電力が増大するという問題があった。
【０００４】
そこで、第１の定着器の後工程に第２の定着器としてのサーマルヘッドを用いて任意の領域を再加熱することにより、画像が形成されている領域に限定して光沢を付与する方式が用いられている（例えば、特許文献２参照）。
【先行技術文献】
【特許文献】
【０００５】
【特許文献１】特開昭６３−１９２０６８号公報
【特許文献２】特開２００７−５２１７５号公報、段落［００８０］
【発明の概要】
【発明が解決しようとする課題】
【０００６】
しかしながら、特許文献１記載の発明では、サーマルヘッドを使用して記録紙の任意の領域を再加熱して光沢を付与するよりも前に、第１の定着器からの加熱により記録紙に含有されていた水分が蒸発する。水分の蒸発により、定着後は記録紙が収縮し、その寸法に変化が生じる。
【０００７】
この収縮率は、記録紙の種類や厚みにより異なるが、普通紙の場合、長手方向及び幅方向の長さは、ともに０．１〜０．５％程度収縮する。例えば、Ａ３サイズの普通紙の場合、サイズが２９７ｍｍ×４２０ｍｍであるため、収縮率が最大の０．５％とすると、幅方向で約１．５ｍｍ、長手方向で２．１ｍｍ収縮することになる。解像度が６００ｄｐｉの場合、例えば２．１ｍｍの収縮は、４画素程度の収縮量になる。
【０００８】
つまり、サーマルヘッドで再加熱する際に、定着前の画像データに基づいてサーマルヘッドの各抵抗に供給する電力パターンを決定してしまうと、記録紙が収縮した分だけ光沢を付与する領域がずれてしまう。そして、文字のエッジ部や画像領域の端部などに光沢ムラが生じてしまうという問題が発生する。
【０００９】
そこで、本発明の目的は、定着後の収縮した記録紙であっても、所望の位置に光沢付与ができる画像形成装置を提供することにある。
【課題を解決するための手段】
【００１０】
上記目的を達成するため、本発明に係る画像形成装置は、記録紙を給紙する給紙手段と、前記給紙手段により給紙された記録紙にトナー像を転写する転写手段と、前記転写手段により記録紙に転写されたトナー像を加熱する定着手段と、前記定着手段により加熱された記録紙の任意の領域に光沢を付与する光沢付与手段と、前記定着手段による加熱で収縮した記録紙の収縮率を演算する演算手段と、前記演算手段により演算された前記収縮率に応じて、前記光沢付与手段による光沢付与領域を補正する補正手段と、を有することを特徴とする。
【発明の効果】
【００１１】
本発明の画像形成装置によれば、定着後の収縮した記録紙であっても、所望の位置に光沢付与ができる。
【図面の簡単な説明】
【００１２】
【図１】画像形成装置１００の断面図である。
【図２】光沢付与装置５５の断面図である。
【図３】サーマルヘッド２０１のヘッド配置図である。
【図４】サーマルヘッド２０１の電気構成を示すブロック図である。
【図５】画像形成装置１００及び光沢付与装置５５の制御ブロック図である。
【図６】光沢付与動作を行う際の動作タイミングを示すタイミングチャートである。
【図７】サーマルヘッド２０１の加熱領域の補正について示す図である。
【図８】光沢付与動作を示すフローチャートである。
【発明を実施するための形態】
【００１３】
（第１の実施形態）
図１は、画像形成装置１００の断面図である。
画像形成装置１００は、イエロー色の画像を形成する画像形成部１Ｙと、マゼンタ色の画像を形成する画像形成部１Ｍと、シアン色の画像を形成する画像形成部１Ｃと、ブラック色の画像を形成する画像形成部１Ｂｋの４つの画像形成部を備えている。
【００１４】
中間転写ベルト８の下方には、レーザースキャナユニット７が配置されており、各色の感光体２ａ（イエロー）、２ｂ（マゼンタ）、２ｃ（シアン）、２ｄ（ブラック）に各色の画像データに基づいて変調されたレーザ光を照射する。レーザ光の照射前には、それぞれ一次帯電器３ａ（イエロー）、３ｂ（マゼンタ）、３ｃ（シアン）、３ｄ（ブラック）にて、感光体２ａ、２ｂ、２ｃ、２ｄの全面を帯電させた状態にしている。
【００１５】
現像器４ａ、４ｂ、４ｃ、４ｄは、レーザースキャナユニット７によりレーザ光を照射された各色の感光体に各色のトナーを静電的に付着させる。各色の感光体に付着したトナーは、中間転写ベルト８に転写され、ベルトは図中Ａの方向に進行し、転写された各色のトナー像は、二次転写ローラ１２にて、記録紙Ｐへと再度転写される。
【００１６】
さらにその下方に給紙ユニット１７、手差しマルチトレイ２０を配置し、記録紙Ｐの搬送パス１８、搬送ローラ１９、二次転写ローラ１２を縦に配置し、その上方に定着器１６を備えている。
【００１７】
定着器１６は、内部にヒータパターンを印刷したセラミック基板などの熱源を有する定着フィルム１６ａと前記基板に前記フィルムをはさんで加圧される加圧ローラ１６ｂから構成される。
【００１８】
さらに、定着器１６の下流側には定着排紙ローラ２１、及び光沢付与装置５５が配置されている。記録紙Ｐの表裏面に画像を形成する場合には、定着排紙ローラ２１を逆回転することにより、片面の画像形成及び定着が終了した記録紙Ｐを両面搬送路２３へと搬送し、記録紙Ｐの裏面に再度画像形成を行うべく二次転写ローラ１２の方向へ再給紙する。
【００１９】
なお、ラインセンサ２４は、記録紙Ｐの搬送方向に直交する幅方向に長手となるように設けられ、定着器１６を通過する前の記録紙のＰの幅方向の長さを検知するのに用いられる。詳細は後述するが、ここで検知された定着前における記録紙のＰ幅方向の長さは、定着器１６を通過した後の記録紙Ｐの収縮率の演算に用いられる。
【００２０】
光沢付与装置５５は、記録紙Ｐの任意の領域を再加熱して光沢を付与する装置である。光沢付与装置５５により記録紙Ｐへの光沢の付与が完了した後、記録紙Ｐは光沢付与装置５５から排紙トレイ２２へと排紙される。
【００２１】
図２は、光沢付与装置５５の断面図である。
定着排紙ローラ２１は、定着器１６の下流にあり、定着器１６から排出された記録紙Ｐを光沢付与装置５５へと搬送する。定着排紙センサ２０８は、定着器１６と定着排紙ローラ２１の間に配置されており、定着器１６から排出された記録紙Ｐの先端及び後端を検知し、定着器１６内に記録紙Ｐが滞留していないことを監視する。
【００２２】
光沢付与装置５５には、サーマルヘッド２０１が設けられている。図３に示されるように、サーマルヘッド２０１の先端Ｈにはｎ個の発熱部（Ｈ１、Ｈ２、・・・、Ｈｎ）が設けられている。発熱部（Ｈ１、Ｈ２、・・・、Ｈｎ）は、３００ｄｐｉの間隔で記録紙Ｐの幅の分だけ、およそ５０００個並べられている。
【００２３】
有限長の薄膜フィルム２０２は、送り出しローラ２０４から送り出され、巻取りローラ２０５により巻き取られる構成になっている。サーマルヘッド２０１に対向する対向ローラ２０３は、記録紙Ｐの搬送を行う。分離板２０６は、薄膜フィルム２０２と記録紙Ｐとを分離する機能を持つ。
【００２４】
また、ラインセンサ２０７は、記録紙Ｐの搬送方向に直交する幅方向に長手となるように設けられ、定着排紙ローラ２１と対向ローラ２０３との間に配置されている。ラインセンサ２０７により、定着後の記録紙Ｐの搬送方向に直交する幅方向の長さの測定が可能となる。さらに、ラインセンサ２０７は、記録紙Ｐの幅方向の位置ずれ量の検知にも使用されるため、記録紙Ｐ上の正確な位置にサーマルヘッド２０１による再加熱ができる。
【００２５】
定着排紙ローラ２１から矢印方向に搬送されてきた記録紙Ｐは、薄膜フィルム２０２と対向ローラ２０３により形成されるニップ部を通過する。このとき、サーマルヘッドがオンされた領域のみ記録紙Ｐ上のトナー像が再加熱され、光沢が付与された画像が形成される。再加熱された記録紙Ｐは、薄膜フィルム２０２と共に左方向に送り出される。記録紙Ｐは分離板２０６により薄膜フィルム２０２と分離され、薄膜フィルム２０２が巻取りローラ２０５に巻き取られる一方、記録紙Ｐのみが光沢付与装置５５から排出される。
【００２６】
図４は、サーマルヘッド２０１の電気構成を示すブロック図である。
シフトレジスタ４０１は、後述するＣＰＵ５０２からＣＬＫ信号に同期して順次入力されたＤＡＴＡ信号を１ライン分記憶する。ラッチレジスタ４０２は、ＬＡＴ信号のタイミングでシフトレジスタ４０１のデータをラッチする。ここで、ラッチされたデータがサーマルヘッド２０１を駆動する駆動信号となる。
【００２７】
ゲート回路４０３は、ＳＴＢ信号がＨｉｇｈの時にラッチレジスタ４０２にラッチされている駆動信号を出力する。ドライバ素子４０４は、サーマルヘッド２０１を駆動する素子であり、Ｈｉｇｈが入力されたときにサーマルヘッド２０１がオンされる。抵抗ヒータ４０５は、サーマルヘッド２０１のｎ個の発熱部（Ｈ１、Ｈ２、・・・、Ｈｎ）に対応して設けられた、ｎ個の抵抗（Ｒ１、Ｒ２、・・・、Ｒｎ）から構成される。
【００２８】
図５は、画像形成装置１００及び光沢付与装置５５の制御ブロック図である。
制御部５０１は、ＣＰＵ５０２、ＲＯＭ５０３、及びＲＡＭ５０４を有する。ＣＰＵ５０２は、画像形成装置１００全体を制御する制御回路である。ＲＯＭ５０３には、画像形成装置１００で実行する各種処理を制御するための制御プログラムが格納されている。ＲＡＭ５０４は、ＣＰＵ５０２が動作するためのシステムワークメモリであり、また画像データを一時記憶するための画像メモリとしても機能する。
【００２９】
ＣＰＵ５０２は、外部のスキャナ、ＰＣ、及びＦＡＸ等から画像データを受信し、画像形成装置１００の内部に設けられた各種センサ類５０７の出力に応じて、各種モータ類５０６を制御して記録紙Ｐへの画像形成動作を行う。また、ユーザは、操作部５０５上の入力キーを用いて、操作部５０５に設けられた表示部の表示の切り替えをＣＰＵ５０２に指示することができる。
【００３０】
前述した通り、サーマルヘッド２０１とラインセンサ２０７は、光沢付与装置５５に設けられている。ラインセンサ２０７は、コンタクトイメージセンサ（ＣＩＳ）やＣＣＤラインセンサ等であり、不図示の発光部である光源と、反射散乱光を受光して画像データへと変換する受光部とから構成される。また、画像形成装置１００に設けられたラインセンサ２４も、ラインセンサ２０７と同様の構成である。
【００３１】
図６は、光沢付与動作を行う際の動作タイミングを示すタイミングチャートである。下記の（１）〜（５）は、光沢付与動作における工程を示す。
（１）まず、ＣＰＵ５０２は、外部のスキャナ、ＰＣ、及びＦＡＸ等から画像データを受信すると、記録紙Ｐへの画像形成動作を開始する。
（２）画像形成を行う記録紙Ｐを所定枚数（一例として３枚）、給紙ユニット１７又は手差しマルチトレイ２０から給紙する。そして、第１の検知手段としてのラインセンサ２４の検知結果に基づき、定着器１６を通過する前の記録紙Ｐの幅方向における長さ（第１の長さ）が検知される。ここでは、定着前の記録紙Ｐの幅方向における長さについて、１枚目をＬ１１、２枚目をＬ１２、３枚目をＬ１３とする。
（３）画像形成及び定着が終了した記録紙Ｐは、光沢付与装置５５へと搬送される。そして、第２の検知手段としてのラインセンサ２０７の検知結果に基づき、定着器１６を通過した後の記録紙Ｐの幅方向における長さ（第２の長さ）が測定される。ここでは、定着後の記録紙Ｐの幅方向における長さについて、１枚目をＬ２１、２枚目をＬ２２、３枚目をＬ２３とする。
ＣＰＵ５０２は、工程（２）で測定された定着前の記録紙Ｐの幅方向における長さと、工程（３）で測定された定着後の記録紙Ｐの幅方向における長さとに基づき、記録紙Ｐの収縮率を演算する。具体的には、記録紙Ｐの１枚目の収縮率はＬ２１／Ｌ１１、２枚目の収縮率はＬ２２／Ｌ１２、３枚目の収縮率はＬ２３／Ｌ１３となる。
（４）前述のように、記録紙Ｐの収縮に伴い数画素分の位置ずれが発生するため、正確な光沢付与のためには、記録紙Ｐの搬送速度の調整が必要となる。そこで、送り出しローラ２０４、巻取りローラ２０５、及び対向ローラ２０３を回転させる際の駆動速度を変化させる。
初期の設定速度をＡ［ｍｍ／ｓ］とすると、記録紙Ｐを搬送する際の各ローラ２０３〜２０５の駆動速度は、１枚目はＡ１＝Ａ×Ｌ２１／Ｌ１１、２枚目はＡ２＝Ａ×Ｌ２２／Ｌ１２、３枚目はＡ３＝Ａ×Ｌ２３／Ｌ１３となるように駆動速度を補正する。つまり、記録紙Ｐが収縮した分、各ローラの駆動速度が遅くなるように補正する。この補正により、記録紙Ｐが定着器１６を通過して収縮した場合であっても、記録紙Ｐの搬送方向の光沢付与を正確に行うことができる。
（５）記録紙Ｐの幅方向の収縮については、サーマルヘッド２０１で加熱する領域を補正することで対応する。具体的には、ＣＰＵ５０２によって演算された記録紙Ｐの収縮率と、ラインセンサ２０７によって検知された記録紙Ｐの端部位置とに基づいて、サーマルヘッド２０１で加熱する領域を補正する。この点について、図７を用いて説明する。
【００３２】
図７において、定着前のトナー像の位置を網点部で、定着後のトナー像の位置を斜線部で示している。また、右端を基準に定着前の記録紙Ｐの端部位置を破線で、定着後の記録紙Ｐの端部位置を実線で示している。
【００３３】
また、補正前のサーマルヘッド２０１の加熱位置は、記録紙Ｐ上に形成した際の画像データに基づいて作成したサーマルヘッドの加熱パターンである。補正後のサーマルヘッド２０１の加熱位置は、記録紙Ｐの収縮率とラインセンサ２０７で検知した記録紙Ｐの端部位置から、補正前のサーマルヘッド２０１の加熱パターンに対して、加熱位置を補正したものである。
【００３４】
すなわち、ラインセンサ２０７で検知した記録紙Ｐの端部位置に基づいて加熱パターンの位置を幅方向へずらすとともに、記録紙Ｐの収縮率に基づいて加熱パターンにおける加熱位置を縮小するよう補正する。ＣＰＵ５０２は、補正後のサーマルヘッド２０１の加熱パターンを、図４のシフトレジスタ４０１に入力するＤＡＴＡ信号に反映させることで、上記補正を実現する。
【００３５】
図８は、光沢付与動作を示すフローチャートである。
このフローチャートを実行するためのプログラムは、ＲＯＭ５０３に記憶されており、ＣＰＵ５０２により読み出されることにより実行される。
【００３６】
まず、ＣＰＵ５０２は、外部のスキャナ、ＰＣ、及びＦＡＸ等から画像データを受信すると、記録紙Ｐの給紙を開始する（Ｓ８０１）。そして、ＣＰＵ５０２は、ラインセンサ２４の出力に基づき、定着前の記録紙Ｐの幅方向の長さを検知する（Ｓ８０２）。次に、ＣＰＵ５０２は、中間転写ベルト８から記録紙Ｐへのトナー像の転写、及び定着器１６による記録紙Ｐ上のトナー像の定着を行う（Ｓ８０３）。
【００３７】
定着器１６を通過した記録紙Ｐが光沢付与装置５５に到達すると、ＣＰＵ５０２は、ラインセンサ２０７の出力に基づき、定着後の記録紙Ｐの幅方向の長さを検知するとともに（Ｓ８０４）、記録紙Ｐの端部位置の検知を行う（Ｓ８０５）。そして、ＣＰＵ５０２は、前述したように、定着前と後における記録紙Ｐの幅方向の長さに基づいて記録紙Ｐの収縮率を演算する（Ｓ８０６）。
【００３８】
次に、ＣＰＵ５０２は、前述したように、演算した収縮率に応じて、対向ローラ２０３、送り出しローラ２０４、及び巻取りローラ２０５の駆動速度を補正する（Ｓ８０７）。この補正により、記録紙Ｐの搬送方向の収縮によるサーマルヘッド２０１の加熱位置ずれを補正することができる。
【００３９】
その後、ＣＰＵ５０２は、前述したように、記録紙Ｐの収縮率とラインセンサ２０７で検知した記録紙Ｐの端部位置に応じて、サーマルヘッド２０１の加熱パターンを補正する（Ｓ８０８）。この補正により、記録紙Ｐの幅方向の収縮によるサーマルヘッド２０１の加熱位置ずれを補正することができる。
【００４０】
そして、ＣＰＵ５０２は、補正した加熱パターンに基づいてサーマルヘッド２０１により記録紙Ｐを加熱し（Ｓ８０９）、記録紙Ｐを排紙トレイ２２へ排紙する（Ｓ８１０）。
【００４１】
以上の制御を行うことにより、定着器１６を通過して収縮した記録紙Ｐであっても、所望の位置に光沢付与ができる。
【００４２】
（第２の実施形態）
第１の実施形態では、記録紙Ｐの幅方向における収縮率のみを演算し、サーマルヘッド２０１の加熱パターン及び各ローラ２０３〜２０５の駆動速度を補正していた。第２の実施形態では、記録紙Ｐの幅方向における収縮率を演算してサーマルヘッド２０１の加熱パターンを補正し、記録紙Ｐの搬送方向における収縮率を演算して各ローラ２０３〜２０５の駆動速度を補正するものである。以下、第１の実施形態と同じ点については説明を省略する。
【００４３】
本実施形態では、図６の工程（１）で画像形成が開始すると、工程（２）において、ＣＰＵ５０２によりラインセンサ２４が記録紙Ｐの先端を検知してから後端を検知するまでの通過時間Ｔ１１（第１の通過時間）を計測する。また、工程（３）において、ＣＰＵ５０２によりラインセンサ２０７が記録紙Ｐの先端を検知してから後端を検知するまでの通過時間Ｔ２１（第２の通過時間）を計測する。なお、本実施形態では、ラインセンサ２０７からサーマルヘッド２０１までの距離が、記録紙Ｐの搬送方向の長さよりも長いことが前提となる。
【００４４】
そして、ＣＰＵ５０２は、記録紙Ｐの搬送方向の収縮率を、これらの時間の比Ｔ２１／Ｔ１１から求める。同様に、２枚目の収縮率をＴ２２／Ｔ１２、３枚目の収縮率をＴ２３／Ｔ１３として求める。
【００４５】
また、工程（４）において、各ローラ２０３〜２０５の初期の設定速度をＡ［ｍｍ／ｓ］とすると、各ローラ２０３〜２０５の補正後の駆動速度Ａ１を、Ａ１＝Ａ×Ｔ２１／Ｔ１１となるように補正する。同様に、２枚目はＡ２＝Ａ×Ｔ２２／Ｔ１２、３枚目はＡ３＝Ａ×Ｔ２３／Ｔ１３となるように駆動速度を補正する。工程（５）については、第１の実施形態と同様である。
【００４６】
以上の制御を行うことにより、記録紙Ｐの幅方向及び搬送方向における収縮率の両方を演算するので、より正確に光沢付与を行う位置の補正ができる。
【００４７】
なお、ラインセンサ２０７を用いて定着後の記録紙Ｐの先端を検知してから後端を検知するまでの時間を検知することとしたが、ラインセンサ２０７の代わりに定着排紙センサ２０８を用いても構わない。
【００４８】
また、記録紙Ｐの搬送方向における光沢付与領域の補正は、各ローラ２０３〜２０５の駆動速度を補正する代わりに、サーマルヘッド２０１の１ラインあたりの駆動時間を補正することによっても同様の効果を得られる。すなわち、記録紙Ｐの搬送方向の収縮率に基づいて、サーマルヘッド２０１の１ラインあたりの駆動時間を短くすることによっても同様の効果を得られる。
【００４９】
さらに、以上の説明では光沢付与手段としてサーマルヘッドを例に挙げて説明したが、光沢付与領域に透明トナー画像を形成することで記録紙Ｐの一部に光沢を付与する構成に適用してもよい。この場合、ＣＰＵ５０２により、記録紙Ｐの収縮率に基づいて、透明トナーの画像を形成する領域を補正すればよい。
【００５０】
また、上記の本実施形態では、画像形成装置１００としてタンデム型のカラー画像形成装置を一例として示したが、電子写真方式の画像形成装置であれば、この構成に限られるものではない。
【符号の説明】
【００５１】
１２  二次転写ローラ（転写手段に対応）
１６  定着器（定着手段に対応）
１７  給紙ユニット（給紙手段に対応）
２０  マルチトレイ（給紙手段に対応）
２４  ラインセンサ（第１の検知手段に対応）
５５  光沢付与装置
１００  画像形成装置
２０１  サーマルヘッド（光沢付与手段に対応）
２０３  対向ローラ（搬送手段に対応）
２０７  ラインセンサ（第２の検知手段に対応）
５０２  ＣＰＵ（演算手段、補正手段に対応）
【図１】
2011099913.tif 000003
【図２】
2011099913.tif 000004
【図３】
2011099913.tif 000005
【図４】
2011099913.tif 000006
【図５】
2011099913.tif 000007
【図６】
2011099913.tif 000008
【図７】
2011099913.tif 000009
【図８】
2011099913.tif 000010